(57)【要約】【課題】  定着ユニットを用紙の搬送方向に向けて引き出し可能とした上で、定着ユニットおよびその下流側における紙詰まりの解消を迅速かつ容易に行い得るようにする。【解決手段】  用紙搬送ユニット４０は、機器本体１１に設けられた支持軸１０４回りに回動して開閉することにより閉止姿勢と、用紙搬送ユニット４０の下流側外側面から離間した開放姿勢との間で姿勢変更可能に構成され、定着ユニット３０の下流側外側面には、定着ユニット３０側の搬送面が形成されている一方、用紙搬送ユニット４０には、閉止姿勢に姿勢設定された状態で定着ユニット３０側の搬送面と対向して上側搬送路４１２を形成する搬送ユニット側搬送面が形成され、機器本体１１内には、用紙搬送ユニット４０が開放姿勢に設定された状態で定着ユニット３０を機器本体１１内から用紙の搬送方向に向けて引き出し可能に支持するガイドレール３０１が設けられている。【選択図】  図３
2005089178.tif 000002
【特許請求の範囲】
【請求項１】
装置本体内の用紙搬送路中に設けられた、画像を転写する画像形成部および転写画像を定着する定着部を経て用紙を排出する画像形成装置において、
前記用紙搬送路の一部であって前記定着部の用紙搬送方向の直ぐ下流部分が前記装置本体の一側壁に形成されてなる下流搬送路部と、前記下流搬送路部を装置本体に対して開閉可能とする開閉機構と、前記定着部を前記装置本体から露呈するべく前記一側壁方向に往復動可能とするスライド機構とを備えたことを特徴とする画像形成装置。
【請求項２】
前記一側壁の内面適所には、保護用突起が形成されていることを特徴とする請求項１記載の画像形成装置。
【請求項３】
前記下流搬送路部が閉じられた状態で、この下流搬送路部と前記定着部との間に用紙搬送路が形成されることを特徴とする請求項１または２記載の画像形成装置。
【請求項４】
前記下流搬送路部は、この下流搬送路部が閉止された状態で前記一側壁と平行な方向と、この方向と交差する方向との間で方向切り替えを行う方向切替部材を備えることを特徴とする請求項１乃至３のいずれかに記載の画像形成装置。
【請求項５】
前記下流搬送路部には、用紙に両面転写を施すときに用紙を所定の両面ユニットに搬送するために用いられる搬送ユニットが装着可能な凹部が設けられていることを特徴とする請求項１乃至４のいずれかに記載の画像形成装置。
【請求項６】
前記機器本体には、前記搬送ユニットから導出された用紙を表裏反転する機構が設けられていることを特徴とする請求項５記載の画像形成装置。
【請求項７】
前記定着部には、前記装置本体から引き出された状態で前記下流搬送路部の対向面との干渉を阻止する突支部材が設けられていることを特徴とする請求項１乃至６のいずれかに記載の画像形成装置。
【請求項８】
前記突支部材は、前記定着部の下側部に所定の軸回りに回動自在に軸支され、かつ、前記定着部が前記装置本体に押し込まれることにより当該装置本体との干渉で前記軸回りに一方向に回動して収納姿勢に姿勢設定される一方、前記定着部が前記装置本体から引き出されることによる前記干渉の解消により前記軸回りに他方向に回動して軸から垂下した垂下姿勢に姿勢設定されることを特徴とする請求項７記載の画像形成装置。
【発明の詳細な説明】
【技術分野】
【０００１】
本発明は、複写機やファクシミリ装置さらには各種のプリンタ等の機器本体内の画像転写部で用紙に転写された転写画像に定着処理を施す定着ユニットに対向して前記機器本体に配設される開閉可能な用紙搬送ユニットを備えた画像形成装置に関するものである。
【背景技術】
【０００２】
画像形成装置は、原稿画像を光学的に読み取る原稿画像読取部と、この原稿画像読取部で読み取られた画像データに基づいて感光体ドラムの周面に形成されたトナー画像を用紙に転写する画像転写部と、この画像転写部で転写された用紙の転写画像に対して定着処理を施す定着部とが箱形の機器本体に内装されてなる基本構成を有している。
【０００３】
転写画像が形成される用紙は、機器本体内に設けられた用紙貯留部や、あるいは機器本体の側面の適所に設けられた用紙手差し部から所定の搬送路を介して画像転写部へ順次供給されるようになっており、画像転写部で画像が転写された後、定着部の定着ユニットで加熱状態の定着ローラと、この定着ローラに対向配置された受けローラ間を通過することによる熱処理で転写画像に定着処理が施されるようになっている。定着処理の完了した用紙は、所定の搬送路を通って機器本体の適所に設けられた排紙トレイに排紙される。
【０００４】
ところで、用紙貯留部や用紙手差し部から供給された用紙は、搬送路を移動中や転写処理や定着処理の最中に詰まることがあり、かかる紙詰りが発生したときは、機器の駆動が一旦停止されるようになっている。そして、機器の駆動停止中に機器本体に設けられた所定のカバーが開放されたり、機器本体が分割されたりして機器本体の内部が露呈された状態で詰まっている用紙が取り除かれることになる。
【０００５】
紙詰まりは、搬送路の各所で起こるが、特に定着ユニットの下流側に設けられた搬送路で生じることが多い。なぜなら、用紙は、定着ユニットで片面が加熱状態の定着ローラによって加熱されて伸長するため、他の片面に向けて撓んだカール状態になり、これによって搬送方向の先端側が搬送路の壁面に突っかかり易くなるからである。
【０００６】
このようなことから、定着部での紙詰まりの解消処理を行い易くするために定着ユニットは、機器本体から引き出されて全体的に外部に露呈されるようになされていたり、機器本体における定着ユニットの下流側に対応したの側壁が開閉自在のカバー体とされ、このカバー体が開放されるようになされているのが一般的である。
【０００７】
ところで従来、前記のようなカバー体が設けられる場合、カバー体の定着ユニットに対する対向面と、この対抗面および定着ユニット間に設けられた所定のガイド部材との間に用紙を排紙するための搬送路が形成されるのが一般的であったため、カバー体を開放しても前記ガイド部材が邪魔になって定着ユニットをカバー体の方向に向けて引き出すことができず、結局、定着ユニットは機器本体の前面側（用紙搬送方向と直交する方向）に引き出されるようになっていた。
【０００８】
しかしながら、搬送路は本来的に用紙を搬送方向に向かわせるに適し、搬送方向と直交する方向への用紙の移動は円滑に行い得ないような構造になっているため、紙詰まりが生じたときに定着ユニットを用紙搬送方向と直交する方向に引き出すと、詰まっていた用紙が破断したりして二次的な紙詰りが発生するという不都合が生じる。
【０００９】
そこで、例えば、特許文献１には、カバー体の内部に搬送路を形成したものが記載されている。カバー体の内部に搬送路を形成すると、機器本体側に設けられる前記ガイド部材が不用になるため、カバー体を開いた状態で邪魔なガイド部材が存在しないことにより、定着ユニットを用紙搬送方向に向けて引き出すことが可能になる。因みに、特許文献１に記載の画像形成装置においては、定着ユニットを用紙の搬送方向に向けて機器本体から抜き出すという技術思想は開示されていない。
【特許文献１】特開平１１−２８８１４０号公報
【発明の開示】
【発明が解決しようとする課題】
【００１０】
しかしながら、特許文献１に記載のものは、定着ユニットで紙詰りが生じたときには詰まった用紙を容易に取り除いて紙詰りを解消することができるが、搬送路がカバー体の内部に設けられているため、この搬送路内で紙詰まりが生じたような場合には、カバー体そのものを分解するなどして用紙を取り出さなければならず、結局、最も紙詰まりが発生し易い定着ユニットの下流側の搬送路中での紙詰まりの解消操作を容易化することには貢献し得ないという問題点が存在するのである。
【００１１】
本発明は、上記のような状況に鑑みなされたものであって、定着ユニットを用紙の搬送方向に向けて引き出し可能とした上で、定着ユニットおよびその下流側における紙詰まりの解消を迅速かつ容易に行い得るようにした、開閉可能な用紙搬送ユニットを備えた画像形成装置を提供することを目的としている。
【課題を解決するための手段】
【００１２】
請求項１記載の発明は、装置本体内の用紙搬送路中に設けられた、画像を転写する画像形成部および転写画像を定着する定着部を経て用紙を排出する画像形成装置において、前記用紙搬送路の一部であって前記定着部の用紙搬送方向の直ぐ下流部分が前記装置本体の一側壁に形成されてなる下流搬送路部と、前記下流搬送路部を装置本体に対して開閉可能とする開閉機構と、前記定着部を前記装置本体から露呈するべく前記一側壁方向に往復動可能とするスライド機構とを備えたことを特徴とするものである。
【００１３】
この発明によれば、下流搬送路部が閉止された状態で、下流搬送路部側搬送面と定着ユニット側搬送面との間に用紙搬送路が形成されるため、定着部で転写画像の定着処理が施された用紙は、この用紙搬送路を通って所定の位置に排紙される。
【００１４】
また、紙詰りの解消操作や定着部等のメンテナンス作業を行うために閉止されていた下流搬送路部を支持軸回りの回動操作して開放姿勢に姿勢変形することにより、機器本体内に支持部材を介して装着されている定着部は、その下流側外側面が外部に露出された状態になるため、この定着部を支持部材を介して外部に引き出すことが可能になり、これによって紙詰まりの解消作業や定着部のメンテナンス作業等を容易に行うことができる。
【００１５】
そして、スライド機構は、下流搬送路部が開放された状態で定着部を機器本体内から用紙の搬送方向に向けて引き出し可能に支持するようになっているため、従来のように定着部が用紙搬送方向と直交する方向に向けて引き出される場合に比較し、定着部を引き出すに際して例えば詰まっている用紙が通常とは異なる方向に移動するようなことはなく、搬送方向に定着部と同伴して移動する。
【００１６】
したがって、定着部が用紙搬送方向と直交する方向に引き抜かれる場合には、用紙は、搬送用ローラ等の搬送用の各種の部材との予定外の接触で破断してしまうような不都合が生じるが、この発明ではそのような不都合が生じることはなく、詰まった用紙の除去が円滑に行われるため、その後のメンテナンス作業を円滑に行うことが可能になる。
【００１７】
請求項２記載の発明は、請求項１記載の発明において、前記一側壁の内面適所には、保護用突起が形成されていることを特徴とするものである。
【００１８】
この発明によれば、下流搬送路部が半開きの状態で、定着部が機器本体から引き出されるに際し、定着部がカバー体の保護用突起と干渉して保護用突起を押圧するため、下流搬送路部は支持軸回りに回動して完全開放され、これによって引き出された定着ユニットが搬送ユニット側搬送面と接触することや、定着部を引き出し操作する作業者の手が搬送ユニット側の搬送面の各種の突起（例えば排紙方向切替部材の先端）と接触するのが回避される。
【００１９】
請求項３記載の発明は、請求項１または２記載の発明において、前記下流搬送路部が閉じられた状態で、この下流搬送路部と前記定着部との間に用紙搬送路が形成されることを特徴とするものである。
【００２０】
この発明によれば、紙詰りが生じたときに下流搬送路部を開くことにより、用紙搬送路が二つに割れて詰まっている用紙が外部に露呈するため、この用紙を取り去ることで詰りが解消し、用紙詰り解消作業が極めて容易になる。
【００２１】
請求項４記載の発明は、請求項１乃至３のいずれかに記載の発明において、前記下流搬送路部は、この下流搬送路部が閉止された状態で前記一側壁と平行な方向と、この方向と交差する方向との間で方向切り替えを行う方向切替部材を備えることを特徴とするものである。
【００２２】
この発明によれば、排紙方向切替部材を切替操作することによって、定着ユニットから用紙搬送路に排紙された用紙の排紙先を、機器本体の所定の位置と、機器本体外との間で任意に選択することができる。
【００２３】
請求項５記載の発明は、請求項１乃至４のいずれかに記載の発明において、前記下流搬送路部には、用紙に両面転写を施すときに用紙を所定の両面ユニットに搬送するために用いられる搬送ユニットが装着可能な凹部が設けられていることを特徴とするものである。
【００２４】
この発明によれば、下流搬送路部の凹部に、両面転写を実行するときに用紙を所定の両面ユニットに搬送するために用いられる搬送ユニットを装着することによって画像形成装置はいわゆる両面印刷が可能なモードに変換される。なお、両面印刷を実行するためには、機器本体内に両面印刷に対応し得る構造を備えた反転搬送部が予め設けられていることが前提になる。
【００２５】
請求項６記載の発明は、請求項５記載の発明において、前記機器本体には、前記搬送ユニットから導出された用紙を表裏反転する機構が設けられていることを特徴とするものである。
【００２６】
この発明によれば、下流搬送路部の凹部に搬送ユニットが装着されることにより、画像形成装置はいわゆる両面コピーが可能なものになる。
【００２７】
請求項７記載の発明は、請求項１乃至６のいずれかに記載の発明において、前記定着部には、前記装置本体から引き出された状態で前記下流搬送路部の対向面との干渉を阻止する突支部材が設けられていることを特徴とするものである。
【００２８】
この発明によれば、定着部は、装置本体から引き出された状態で突支部材により下流搬送路部の対向面と干渉することが阻止されるため、定着部が下流搬送路部の対向面に設けられた各種の部材と衝突してこれら部材を破損させるような不都合の発生を有効に防止することができる。
【００２９】
請求項８記載の発明は、請求項７記載の発明において、前記突支部材は、前記定着部の下側部に所定の軸回りに回動自在に軸支され、かつ、前記定着部が前記装置本体に押し込まれることにより当該装置本体との干渉で前記軸回りに一方向に回動して収納姿勢に姿勢設定される一方、前記定着部が前記装置本体から引き出されることによる前記干渉の解消により前記軸回りに他方向に回動して軸から垂下した垂下姿勢に姿勢設定されることを特徴とするものである。
【００３０】
この発明によれば、定着部を装置本体に押し込むことにより突支部材が装置本体と干渉して所定の軸回りに回動一方向に回動し、これによって突支部材を収納姿勢に姿勢設定させることができる一方、定着部を装置本体から引き出すことにより突支部材の前記干渉が解消され、これによって突支部材は、軸回りの他方向へ回動し軸から垂下した垂下姿勢に姿勢設定される。
【００３１】
このように、突支部材を定着部に設けられた軸回りに回動自在に軸支することにより、突支部材は、定着部の装置本体への押し込み動作に支障がないものにすることができるとともに、定着部が装置本体から引き出されることにより、定着部から下方に垂下させることができ、定着部の下流搬送路部に対する衝突回避構造の簡素化に貢献することができる。
【発明の効果】
【００３２】
本発明に係る画像形成装置によれば、機器本体内の画像転写部で用紙に転写された転写画像に定着処理を施す定着ユニットの下流側外側面に対向して機器本体に配設される用紙搬送ユニットは、用紙搬送方向と直交する機器本体に設けられた支持軸回りに回動して開閉することにより定着ユニットの下流側外側面に対向した閉止姿勢と、下流側外側面から離間した開放姿勢との間で姿勢変更可能に構成され、定着ユニットの下流側外側面には、定着ユニット側搬送面が形成されている一方、用紙搬送ユニットには、閉止姿勢に姿勢設定された状態で定着ユニット側搬送面と対向して用紙搬送路を形成する搬送ユニット側搬送面が形成され、機器本体内には、定着ユニットを支持する支持部材が設けられ、支持部材は、用紙搬送ユニットが開放姿勢に設定された状態で定着ユニットを機器本体内から用紙の搬送方向に向けて引き出し可能に支持するように構成されているため、用紙搬送ユニットが閉止姿勢に姿勢設定された状態で、搬送ユニット側搬送面と定着ユニット側搬送面との間に用紙搬送路が形成され、これによって定着ユニットで転写画像の定着処理が施された用紙を、この用紙搬送路を介して所定の位置に排紙することができる。
【００３３】
また、紙詰りの解消操作や定着ユニット等のメンテナンス作業を行うために閉止姿勢に姿勢設定されていた用紙搬送ユニットを支持軸回りの回動操作して開放姿勢に姿勢変形することにより、機器本体内に支持部材を介して装着されている定着ユニットは、その下流側外側面が外部に露出された状態になるため、当該定着ユニットを支持部材を介して外部に引き出すことが可能になり、これによって紙詰まりの解消作業や定着ユニットのメンテナンス作業等を容易に行うことができる。
【００３４】
そして、支持部材は、用紙搬送ユニットが開放姿勢に設定された状態で定着ユニットを機器本体内から用紙の搬送方向に向けて引き出し可能に支持するようになっているため、定着ユニットを引き出すに際して例えば詰まっている用紙が通常とは異なる方向に移動するようなことはなく、搬送方向に定着ユニットと同伴して移動し、これによって詰まった用紙をスムーズに取り除くことができ、延いては、その後のメンテナンス作業を円滑に行うことができる。
【発明を実施するための最良の形態】
【００３５】
図１および図２は、本発明に係る開閉可能な用紙搬送ユニット４０を備えた画像形成装置１０の一実施形態を示す側面断面視の説明図であり、図１は、用紙搬送ユニット４０が閉止姿勢に姿勢設定された状態、図２は、用紙搬送ユニット４０が開放姿勢に姿勢設定されるとともに、定着ユニット３０が引き出された状態をそれぞれ示している。
【００３６】
図１に示すように、画像形成装置１０は、機器本体１１を有し、その内部に画像形成ユニット（画像形成部）１２と、この画像形成ユニット１２へ用紙を送り込む給紙機構１８と、画像形成ユニット１２から送出された用紙に画像の定着処理を施す定着ユニット（定着部）３０とが機器本体１１に内装されるとともに、前記定着ユニット３０に対向して機器本体１１に開閉自在に設けられた用紙搬送ユニット（下流搬送路部）４０を有する基本構成を備えている。
【００３７】
画像形成ユニット１２は、給紙機構１８から給紙された用紙にトナー画像を形成させるものであり、本実施形態では、上流側（図１の紙面の右側）から下流側へ向けて順次配設されたマゼンダ用ユニット１２Ｍと、シアン用ユニット１２Ｃと、イエロー用ユニット１２Ｙと、ブラック用ユニット１２Ｋとが備えられている。
【００３８】
各ユニット１２Ｍ，１２Ｃ，１２Ｙ，１２Ｋには、現像装置１３と感光体ドラム１４とがそれぞれ備えられている。各感光体ドラム１４は、対応した現像装置１３からトナーの供給を受け、図１において時計方向へ向けて回転するようになっている。
【００３９】
各感光体ドラム１４の図１における上方左寄りの位置には帯電部１５がそれぞれ設けられているとともに、同上方右寄りの位置には露光部１６がそれぞれ設けられている。そして、各感光体ドラム１４は、前記帯電部１５によって周面が一様に帯電され、図略の読取り装置から入力された画像データに基づくＬＥＤ光が前記各露光部１６から帯電後の感光体ドラム１４の周面に照射されることにより、各感光体ドラム１４の周面に静電潜像が形成されるようになっている。かかる静電潜像に現像装置１３のトナー容器からトナーが供給されることにより、感光体ドラム１４の周面にトナー像が形成される。
【００４０】
各感光体ドラム１４の下方位置には装置内搬送ユニット２０が設けられている。この装置内搬送ユニット２０は、基台２１と、この基台２１に支持されて図１における反時計方向に周回する搬送ベルト２２とを備えている。かかる搬送ベルト２２は、基台２１の図１における下側の左端部に設けられた駆動ローラ２３と、同右端部に設けられた従動ローラ２４と、これら駆動ローラ２３および従動ローラ２４間に配設された所定個数の転動ローラ２５とに掛け回され、駆動ローラ２３の回転駆動によって反時計方向に向けて周回するようになっている。
【００４１】
前記各転動ローラ２５の内の感光体ドラム１４と対向した４つは、それぞれが搬送ベルト２２を介して対向した各感光体ドラム１４に押し付けられ、これによって搬送ベルト２２で搬送される用紙への感光体ドラム１４からの転写が確実に行われるようになっている。また、各感光体ドラム１４の図１における左方下部位置には感光体ドラム１４の周面の残留トナーを除去してクリーニングするクリーニング機構１７が設けられている。このクリーニング機構１７によって清浄化処理された感光体ドラム１４の周面は、新たな帯電処理のために帯電部１５へ向かうことになる。
【００４２】
そして、給紙機構１８から矢印で示すように送り出された用紙は、搬送ベルト２２の周回に案内されて各感光体ドラム１４と転動ローラ２５との間に送り込まれ、各ユニット１２Ｍ，１２Ｃ，１２Ｙ，１２Ｋで順次転写処理が施され、ブラック用ユニット１２Ｋでの転写処理が完了したのち定着ユニット３０に導入される。定着ユニット３０に導入された用紙には、転写画像の加熱による定着処理が施され、定着処理済みとなった用紙は、用紙搬送ユニット４０を介して機器本体１１の頂部に設けられた排紙トレイ１９へ排紙される。
【００４３】
前記給紙機構１８は、通常、複数枚の用紙が積層貯留される給紙カセットが採用されるが、用紙の表裏面に転写処理を施すいわゆる両面印刷を実行するときは、給紙カセットに代えて公知の両面印刷用ユニットが装着される。この両面印刷用ユニットは、給紙カセットに載置されて使用されるものであり、片面が印刷された用紙を表裏反転させるスイッチバック部を有し、このスイッチバック部で表裏反転された用紙が再度給紙されるようになっている。したがって、両面印刷を施すときは、カセット部から繰り出された用紙の片面に転写処理および定着処理が施された後、この用紙が後述の搬送ユニット５０介して両面印刷ユニットに導入される。そして、両面印刷ユニットにおいて用紙は、まずスイッチバック部で表裏が反転され、その後、再度画像形成ユニット１２へ給紙され、裏面に転写処理が行われたのち定着ユニット３０を介して排紙トレイ１９等へ排紙される。
【００４４】
図３〜図５は、図１に示す画像形成装置１０の定着ユニット３０および用紙搬送ユニット４０の部分拡大断面図であり、図３は、用紙搬送ユニット４０が閉止姿勢に姿勢設定された状態、図４は、用紙搬送ユニット４０が閉止姿勢から開放姿勢に姿勢変更される途中で定着ユニット３０が機器本体１１から引き出されつつある状態、図５は、用紙搬送ユニット４０が開放姿勢に姿勢設定されるとともに、定着ユニット３０が機器本体１１から引き出された状態をそれぞれ示している。
【００４５】
また、図６および図７は、定着ユニット３０の用紙搬送ユニット４０側を示す部分斜視図であり、図６は、用紙搬送ユニット４０が開放姿勢に姿勢設定され、且つ定着ユニット３０が機器本体１１から引き出される前の状態、図７は、定着ユニット３０が機器本体１１から引き出された状態をそれぞれ示している。
【００４６】
さらに、図８および図９は、用紙搬送ユニット４０を示す斜視図であり、図８は、搬送ユニット５０が装着される直前の状態、図９は、搬送ユニット５０が装着された状態をそれぞれ示している。
【００４７】
まず、図３に示すように、定着ユニット３０は、幅方向（図３の紙面に直交する方向）に長尺の箱形を呈したハウジング３１に定着ローラ３２が内装されて構成されている。前記定着ローラ３２は、例えば通電発熱体によって過熱される加熱ローラ３３と、この加熱ローラ３３の下部に対向配置され、且つ周面が加熱ローラ３３の周面と当接された加圧ローラ３４とからなっている。本実施形態では、加熱ローラ３３が図略の駆動モータの駆動で軸心回りに駆動回転する駆動ローラとされている。
【００４８】
一方、ハウジング３１の上流側（図３の右側）側壁には、用紙を導入するための導入口３１１が開口されているとともに、同下流側の側壁には用紙を導出するための導出口３１２が開口されている。そして、導入口３１１を介してハウジング３１内に導入された用紙は、加熱ローラ３３の軸心回りの駆動回転に誘導されてこれら加熱ローラ３３および加圧ローラ３４間を通過する間に伝熱加熱による定着処理が施され、これによって先の画像形成ユニット１２（図１）で用紙上の転写画像が定着された状態で導出口３１２を介し用紙搬送ユニット４０へ向けて導出されるようになっている。
【００４９】
かかる定着ユニット３０は、その底面に前後方向（図３の左右方向）に延びるように設けられた幅方向一対のスライドロッド３５（図７参照）を有している一方、機器本体１１の幅方向一対の内壁面には、これらのスライドロッド３５を前後動可能に支持する断面視でコ字状を呈したガイドレール（支持部材）３０１が前後方向に延びるように敷設されている。そして、一対のスライドロッド３５がそれぞれ対応したガイドレール３０１に嵌め込まれることによって、定着ユニット３０は、図３に示す機器本体１１内に収納された収納位置と、図５に示す機器本体１１から外部に引き出された引出位置との間で位置変更可能になっている。
【００５０】
また、ハウジング３１の下流側（図３の左側）の角部には、幅方向の中央位置から外方に向かって突設された把持部材３６（図６参照）が設けられている。この把持部材３６は、定着ユニット３０を機器本体１１から引き出すときに手で把持するためのものであるが、定着ユニット３０が機器本体１１から引き出されるときに用紙搬送ユニット４０の後述する保護突片（保護用突起）４５と干渉させて半開きの用紙搬送ユニット４０の完全開放を促す役割を果たさせることもできる（図４参照）。
【００５１】
前記用紙搬送ユニット４０は、機器本体１１の下流側側壁に開口された定着ユニット３０の後面開口１０１を塞いで内面側が定着ユニット３０の下流壁と対向し得るように機器本体１１に装着されている。
【００５２】
かかる用紙搬送ユニット４０は、搬送ユニット本体４１と、この搬送ユニット本体４１に前記定着ユニット３０の導出口３１２と対向して設けられた下部排紙方向切替部材４２と、下部排紙方向切替部材４２より上方位置で搬送ユニット本体４１に設けられた上部排紙方向切替部材４３と、前記下部排紙方向切替部材４２より下方位置で搬送ユニット本体４１に設けられた搬送ユニット５０を装着するための装着凹部４４（図８および図９参照）とを備えて構成されている。装着凹部４４は、用紙搬送ユニット４０が閉止姿勢に姿勢設定された状態で前記定着ユニット３０の把持部材３６の先端が装着凹部４４の上部位置に若干嵌り込むように設置位置が設定されている。
【００５３】
前記搬送ユニット本体４１の下部（装着凹部４４より若干下方位置）の幅方向両側面には、円形の被支持孔４１１（図８参照）がそれぞれ凹設され、これらの被支持孔４１１に機器本体１１の対向壁面から互いに対向する方向に向けて突設された支持軸１０４が嵌入されることにより、搬送ユニット本体４１は、これらの支持軸回りに正逆回動して機器本体１１の後面開口１０１を閉止した閉止姿勢（図３）と、機器本体１１から外部に突出した開放姿勢（図５、図６および図７）との間で姿勢変更し得るようになっている。
【００５４】
また、搬送ユニット本体４１には、下部排紙方向切替部材４２から用紙を上方に向けて搬送するための上側搬送路４１２が形成されているとともに、下部排紙方向切替部材４２から用紙を下方の搬送ユニット５０に向けて搬送するための下側搬送路４１３が形成されている。
【００５５】
また、搬送ユニット本体４１における前記装着凹部４４の直上方位置であって幅方向の中央部には、定着ユニット３０に向かって突設された保護突片４５（図６参照）が設けられている。この保護突片４５は、用紙搬送ユニット４０が閉止姿勢に姿勢設定された状態で、把持部材３６より上方において当該把持部材３６と対向するようになっている。かかる保護突片４５によって本発明に係る衝突回避構造の第１実施形態が形成されている。
【００５６】
また、搬送ユニット本体４１には、上側搬送路４１２の上方端に幅方向に延びる搬送ローラ対４６が設けられ、上側搬送路４１２の上流端に到達した用紙は、この搬送ローラ対４６の駆動回転によって上方に向けて送り出されるようになっている。
【００５７】
また、搬送ユニット本体４１には、その内面側であって下部排紙方向切替部材４２と上部排紙方向切替部材４３との間の位置にカバー体４８が設けられ、このカバー体４８と搬送ユニット本体４１との間に前記上側搬送路４１２が形成されているとともに、このカバー体４８の前記歪みゲージ３０の導出口３１２と対向した位置に、幅方向に長尺の開口４７１（図６）が設けられ、この開口４７１から下部排紙方向切替部材４２の後述する方向切替フィン４２１の先端が外部に向けて突出している。
【００５８】
前記下部排紙方向切替部材４２は、側面視で略三角形状を呈した複数枚の方向切替フィン４２１（図６参照）の基端側（図３の左方）が、方向切替軸４２２に貫通固定されることによって形成されている。かかる下部排紙方向切替部材４２は、方向切替軸４２２の両端部が搬送ユニット本体４１の対応した側壁に貫通して支持され、ソレノイド等の図略の駆動手段の駆動による方向切替フィン４２１の軸心回りの正逆回動で方向切替フィン４２１の先端が前方（図３の右方）に向けて若干先下がりに傾斜した先下がり姿勢（図３に実線で表示）と、同先端が前方に向けて若干先上りに傾斜した先上り姿勢（図３に二点鎖線で表示）との間で姿勢変更し得るようになっている。
【００５９】
そして、かかる下部排紙方向切替部材４２は、方向切替フィン４２１が先下がり姿勢に姿勢設定された状態で、導出口３１２から導出された用紙をカバー体４８の開口４７１を介して上側搬送路４１２へ向けて案内する一方、方向切替フィン４２１が先上り姿勢に姿勢設定された状態で導出口３１２から導出された用紙を下側搬送路４１３へ向けて案内するように形状設定および設置位置の設定がなされている。
【００６０】
前記上部排紙方向切替部材４３は、側面視で略三角形状を呈した複数枚の方向切替フィン４３１（図６参照）の基端側（図３の上方）が、方向切替用の十字軸４３２に一体的に貫通されることによって形成されている。かかる上部排紙方向切替部材４３は、十字軸４３２の両端部が搬送ユニット本体４１の対応した側壁に貫通して支持され、ソレノイド等の図略の駆動手段の駆動による方向切替フィン４３１の十字軸４３２回りの正逆回動で先端が垂下して搬送ユニット本体４１に当接した垂下姿勢（図３に実線で表示）と、同先端が定着ユニット３０の上部後面に形成された複数枚の固定フィン３０２間に嵌り込む傾斜姿勢（図３に二点鎖線で表示）との間で姿勢変更し得るようになっている。
【００６１】
そして、かかる上部排紙方向切替部材４３は、方向切替フィン４３１が垂下姿勢に姿勢設定された状態で、上側搬送路４１２から搬送ローラ対４６を介して導出された用紙を方向切替フィン４３１と固定フィン３０２との間の隙間および機器本体１１内の所定のフレーム間に形成された搬送路１０２を介して排紙トレイ１９へ向けて案内する一方、方向切替フィン４３１が傾斜姿勢に姿勢設定された状態で搬送ローラ対４６を介して導出された用紙を排紙口４１４を介して外部へ向けて案内するように形状設定および設置位置の設定がなされている。
【００６２】
また、搬送ユニット本体４１における排紙口４１４の下方位置には、排紙口４１４に到達した用紙を排紙するための排紙ローラ４７が設けられ、この排紙ローラ４７の駆動回転によって上部排紙方向切替部材４３が傾斜姿勢に姿勢設定された状態で用紙の外部に向けた排紙が円滑に行われるようになっている。
【００６３】
さらに、搬送ユニット本体４１には、上部排紙方向切替部材４３より上方位置に搬送ローラ４９が設けられているとともに、機器本体１１内の所定のフレームにはこの搬送ローラ４９と対向した搬送ローラ１０３が設けられ、用紙搬送ユニット４０が閉止姿勢に姿勢設定された状態でこれらの搬送ローラ４９，１０３によって用紙を排紙トレイ１９に向けて送りだすための搬送ローラ対が形成されるようになっている。
【００６４】
なお、本実施形態においては、上部排紙方向切替部材４３が設けられている部分に本発明に係る用紙搬送ユニット側搬送面が形成されているとともに、前記固定フィン３０２の後縁面によって本発明に係る定着ユニット側搬送面が形成され、これら用紙搬送ユニット側搬送面と定着ユニット側搬送面との間に本発明に係る用紙搬送路が形成されている。
【００６５】
前記搬送ユニット５０は、給紙機構１８として両面印刷用カセットが採用され、画像形成装置１０自体がいわゆる両面印刷モードに設定され、かつ下部排紙方向切替部材４２が先上り姿勢に姿勢設定されたときに採用されるものである。かかる搬送ユニット５０は、幅方向（図３の紙面に直交する方向）に長尺の箱形を呈した搬送ユニット本体５１（図８参照）と、この搬送ユニット本体５１内に搬送ユニット本体４１の下側搬送路４１３に対応して形成された搬送ユニット搬送路５２と、この搬送ユニット搬送路５２を挟んだ状態で用紙を両面印刷モードに設定された給紙機構１８へ送り込む搬送ローラ対５３とを備えて構成されている。
【００６６】
前記搬送ユニット本体５１の搬送ユニット搬送路５２に臨む面には、複数の固定フィン５０１が設けられ、用紙は、これら固定フィン５０１の存在で当接面積が小さくなり、これによって搬送ユニット搬送路５２内を安定して移動するようになっている。
【００６７】
前記給紙機構１８（図１）は、通常、複数枚の用紙が積層貯留される給紙カセットが採用されるが、用紙の表裏面に転写処理を施すいわゆる両面印刷を実行するときは、給紙カセットに代えて専用の両面印刷用カセットが採用される。
【００６８】
前記搬送ユニット搬送路５２は、上部の入口側が搬送ユニット本体４１の下側搬送路４１３の下部開口に対向して設けられているとともに、下部の出口側が搬送ユニット本体５１の給紙機構１８側の側面に設けられ、これによって搬送ユニット搬送路５２に導入された用紙は、給紙機構１８へ向けて排紙されるようになっている。
【００６９】
かかる搬送ユニット５０は、図８および図９に示すように、搬送ユニット本体４１の装着凹部４４に対して着脱自在に装着され得るように構成されており、オプション品として出荷されるようになされている。
【００７０】
以下本発明の作用について、図３〜図５を基に、必要に応じて他の図面も参照しながら説明する。まず、用紙搬送ユニット４０が閉止姿勢に姿勢設定されている状態では、図３に示すように、搬送ユニット本体４１のカバー体４８が定着ユニット３０のハウジング３１の下流側の端面と略密着した状態になり、これによってハウジング３１の上部と搬送ユニット本体４１との間に上側搬送路４１２の上部側が形成された状態になっている。
【００７１】
また、下部排紙方向切替部材４２の方向切替フィン４２１の先端は、定着ユニット３０のハウジング３１の導出口３１２内に入り込んでおり、用紙を上側搬送路４１２側へ導く実線で示した先下がり姿勢と、用紙を搬送ユニット５０へ導く二点鎖線で示した先上り姿勢との間で姿勢変更し得るようになっている。
【００７２】
また、上部排紙方向切替部材４３の方向切替フィン４３１は、その先端が定着ユニット３０のハウジング３１の固定フィン３０２から離間し、これによって用紙を機器本体１１の上部の搬送路１０２へ導く垂下姿勢と、方向切替フィン４３１の先端が固定フィン３０２間に嵌まり込み、これによって用紙を排紙口４１４へ導く傾斜姿勢との間で姿勢変更し得るようになっている。
【００７３】
つぎに、紙詰りの解消操作のため、あるいはメンテナンス作業のために用紙搬送ユニット４０を後方（図３の左方）へ向けて引き出すと、当該用紙搬送ユニット４０は、被支持孔４１１に嵌入している支持軸１０４回りに反時計方向に向けて回動し、図６に示すように、開放状態になって定着ユニット３０を機器本体１１から引き出し得る状態になる。なお、紙詰り処理の場合は、用紙搬送ユニット４０を若干開放した状態で上側搬送路４１２の上部が外部に露出した状態になるため、詰まった用紙を容易に取り外すことが可能になる。
【００７４】
但しこのとき、用紙搬送ユニット４０が半開きの状態であるにも拘らずに定着ユニット３０が機器本体１１から引き出されると、図４に示すように、定着ユニット３０のハウジング３１の下端部に設けられた把持部材３６が搬送ユニット本体４１の保護突片４５と干渉した状態になるため、定着ユニット３０のそれ以上の引き出しが規制され、これによって搬送ユニット本体４から突出している方向切替フィン４２１等の突出物が定着ユニット３０のハウジング３１と衝突することによる損傷が確実に防止される。
【００７５】
そして、用紙搬送ユニット４０が、完全に開放されると、把持部材３６の保護突片４５に対する干渉が解消されるため、図５および図７に示すように、定着ユニット３０は、機器本体１１から最大限引き出され、この状態で定着ユニット３０に対し所定のメンテナンス処理が施されることになる。
【００７６】
用紙搬送ユニット４０における紙詰まりの解消操作あるいは定着ユニット３０および用紙搬送ユニット４０のメンテナンス操作が完了すると、定着ユニット３０は機器本体１１内に押し込まれ、引き続き用紙搬送ユニット４０が閉止されることにより、画像形成装置１０は稼働が可能な初期状態に戻ることになる。
【００７７】
以上詳述したように、本発明に係る画像形成装置１０は、機器本体１１内の画像形成ユニット１２で用紙に転写された転写画像に定着処理を施す定着ユニット３０の下流側外側面に対向して前記機器本体１１に配設される用紙搬送ユニット４０を備えたものであり、用紙搬送ユニット４０は、用紙搬送方向と直交する機器本体１１に設けられた支持軸１０４回りに回動して開閉することにより定着ユニット３０の下流側外側面に対向した閉止姿勢と、用紙搬送ユニット４０の下流側外側面から離間した開放姿勢との間で姿勢変更可能に構成されている。
【００７８】
そして、定着ユニット３０の下流側外側面には、定着ユニット３０側の搬送面（固定フィン３０２が設けられている面）が形成されている一方、用紙搬送ユニット４０には、閉止姿勢に姿勢設定された状態で定着ユニット３０側の搬送面と対向して上側搬送路４１２を形成する搬送ユニット側搬送面（固定フィン３０２と対抗している面）が形成されている。
【００７９】
また、機器本体１１内には、用紙搬送ユニット４０が開放姿勢に設定された状態で定着ユニット３０を機器本体１１内から用紙の搬送方向に向けて引き出し可能に支持するガイドレール３０１が設けられている。
【００８０】
したがって、紙詰りの解消操作や定着ユニットのメンテナンス作業を行うために閉止姿勢に姿勢設定されていた用紙搬送ユニット４０を支持軸１０４回りの回動操作して開放姿勢に姿勢変形することにより、機器本体１１内にガイドレール３０１を介して装着されている定着ユニット３０は、その下流側外側面が外部に露出された状態になるため、この定着ユニット３０をガイドレール３０１を介して外部に引き出すことが可能になり、これによって紙詰まりの解消作業や定着ユニット３０のメンテナンス作業等を容易に行うことができる。
【００８１】
そして、ガイドレール３０１は、用紙搬送ユニット４０が開放姿勢に設定された状態で定着ユニット３０を機器本体１１内から用紙の搬送方向に向けて引き出し可能に支持するようになっているため、従来のように定着ユニット３０が用紙搬送方向と直交する方向に向けて引き出される場合に比較し、定着ユニット３０を引き出すに際して例えば詰まっている用紙が通常とは異なる方向に移動するようなことはなく、定着ユニット３０が用紙搬送方向と直交する方向に引き抜かれる場合には、用紙は、搬送用ローラ等の搬送用の各種の部材との予定外の接触で破断してしまうような不都合が生じるが、本発明ではそのような不都合が生じることはなく、詰まった用紙の除去が円滑に行われ、その後のメンテナンス作業を円滑に行うことができる。
【００８２】
また、定着ユニット３０側の搬送面には、用紙を搬送する搬送ローラ対の一方のローラである搬送ローラ１０３が装着されている一方、用紙搬送ユニット４０側の搬送面には搬送ローラ対の他方のローラである搬送ローラ４９が装着されているため、開放姿勢に姿勢設定されている用紙搬送ユニット４０を閉じて閉止姿勢に姿勢変更することにより、用紙搬送ユニット４０側の搬送ローラ４９が定着ユニット３０側の搬送ローラ１０３と対向してローラ対が完成するため、上側搬送路４１２に導入された用紙を、このローラ対に挟んだ状態でより円滑に搬送することができる。
【００８３】
また、用紙搬送ユニット４０の搬送ユニット本体４１にはカバー体４８が設けられているため、用紙搬送ユニット４０が開放姿勢に姿勢設定された状態で、定着ユニット３０を機器本体１１から引き出しても、定着ユニット３０がカバー体の存在によって用紙搬送ユニット４０の内部と接触することがなく、用紙搬送ユニット４０内部の各種の凹凸が保護されるとともに、定着ユニット３０を円滑に引き出すことができる。
【００８４】
さらに、カバー体４８には、基端側に機器本体１１から引き出される定着ユニット３０と干渉する保護突片４５が設けられているため、用紙搬送ユニット４０が半開きの状態で、定着ユニット３０を機器本体１１から抜き出しても、当該定着ユニット３０が保護突片４５と干渉して保護突片４５を押圧するため、用紙搬送ユニット４０は支持軸１０４回りに回動して完全に開放され、これによって定着ユニット３０が用紙搬送ユニット４０の各種の凹凸と干渉することを回避することができる。
【００８５】
また、用紙搬送ユニット４０側搬送面には、用紙を機器本体１１の排紙トレイ１９と、機器本体１１外とのいずれかへ向かわせるべく排紙方向位置を切り替える上部排紙方向切替部材４３が設けられているため、用紙の排紙先を任意に設定することが可能になり、排紙の汎用性を向上させることができる。
【００８６】
加えて、用紙搬送ユニット４０側搬送面には、用紙に両面転写を施すときに用紙を反転させるために用いられる用紙反転用の搬送ユニット５０が装着可能な装着凹部４４が設けられているため、この装着凹部４４に、両面転写を実行するときに用紙反転用の搬送ユニット５０を装着することによって画像形成装置はいわゆる両面印刷が可能なモードに変換することができる。
【００８７】
なお、上記の実施形態においては、搬送ユニット本体４１の裏面側にカバー体４８が設けられ、用紙をこのカバー体４８と搬送ユニット本体４１との間に形成された隙間（上側搬送路４１２の一部）に用紙を通すようにしているが、こうする代わりに、用紙搬送ユニット４０が閉止姿勢に設定された状態で、カバー体４８の表面と定着ユニット３０のハウジング３１の下流側の端面との間に形成される隙間を上側搬送路４１２の一部とし、かかる隙間を介して用紙を排紙トレイ１９の方向に向けて送り出すようにしてもよい。こうすることによって、用紙搬送ユニット４０が開放姿勢に姿勢設定された状態で、用紙は、定着ユニット３０および用紙搬送ユニット４０に対して全くフリーになるため、紙詰まりの解消が極めて容易になる。
【００８８】
図１０は、機器本体１１から引き出された定着ユニット３０の用紙搬送ユニット４０に対する衝突回避構造の第２実施形態を示す側面視の説明図であり、（イ）は、定着ユニット３０が収納位置に位置設定された状態、（ロ）は、定着ユニット３０が引出位置に位置設定された状態をそれぞれ示している。また、図１１は、第２実施形態の衝突回避構造が採用された定着ユニット３０が機器本体１１から引き出された状態（すなわち引出位置に位置設定された常態）を示す斜視図である。
【００８９】
図１０に示すように、第２実施形態の衝突回避構造においては、定着ユニット３０の下側部には、スライドロッド３５の先端部３５１に幅方向（図１０の紙面に直交する方向）一対で水平軸３５２が外方に向かって突設され、これらの水平軸３５２回りに回動自在に突支部材３７がそれぞれ軸支されている。各突支部材３７は、先端縁部が円弧状に形成された円弧縁部３７１を有している。
【００９０】
かかる突支部材３７は、図１０の（イ）に示すように、定着ユニット３０が収納位置に収められ、かつ、用紙搬送ユニット４０が閉止姿勢に姿勢設定された状態で、水平方向に延びた収納姿勢に姿勢設定される一方、図１０の（ロ）に示すように、用紙搬送ユニット４０が開放姿勢に姿勢設定され、かつ、定着ユニット３０が引出位置に位置設定された状態で、水平軸３５２から垂下した垂下姿勢に姿勢設定されるようになっている。
【００９１】
このような突支部材３７の水平軸３５２の軸心と円弧縁部３７１の縁面との間の距離は、定着ユニット３０が引出位置に引き出された状態で、開放姿勢になっている用紙搬送ユニット４０の側壁４１５の縁面に円弧縁部３７１の縁面が当接するように設定されている。また、水平軸３５２は、定着ユニット３０が機器本体１１内に押し込まれ、かつ、用紙搬送ユニット４０が閉止姿勢に姿勢設定された状態で、突支部材３７の円弧縁部３７１の縁面が用紙搬送ユニット４０の側壁４１５と干渉しない位置に設けられている。
【００９２】
一方、機器本体１１内には、後面開口１０１より内側で、かつ、先端部３５１より若干下方位置に前後方向に延びる棚部１０５が設けられている。この棚部１０５は、突支部材３７に対応した位置に設けられ、定着ユニット３０が収納位置に収められた状態で、突支部材３７との干渉により当該突支部材３７を水平に延びる収納姿勢に姿勢設定させるようになっている。
【００９３】
因みに、本実施形態においては、スライドロッド３５の前端部に外方に向かって突設された円柱状の被案内突起３５３が設けられ、この被案内突起３５３が一対のガイドレール３０１間に摺接状態で挟持されている。したがって、定着ユニット３０を心もち持ち上げるようにして後方（図１０の左方）に引くことにより、定着ユニット３０は、被案内突起３５３が一対のガイドレール３０１間をスライドしながら機器本体１１から引き出されることになる。
【００９４】
第２実施形態の衝突回避構造によれば、定着ユニット３０が機器本体１１内に押し込まれ、かつ、用紙搬送ユニット４０が閉止姿勢に姿勢設定された状態では、図１０の（イ）に示すように、突支部材３７は、棚部１０５と干渉することにより、当該棚部１０５上で水平軸３５２から後方に向けて水平に延びた収納姿勢に姿勢設定されている。
【００９５】
この状態で用紙搬送ユニット４０を支持軸１０４回りに反時計方向に回動させて開き、引き続き定着ユニット３０を心もち持ち上げるようにしながら機器本体１１から引き出すと、円弧縁部３７１の棚部１０５による支持が解消され、これによって突支部材３７は、水平軸３５２回りに反時計方向に回動し、水平軸３５２から下方に向けて垂下した垂下姿勢に設定される。
【００９６】
したがって、定着ユニット３０から手を離すことによって定着ユニット３０が被案内突起３５３回りに反時計方向に向けて回動しても、図１０の（ロ）および図１１に示すように、突支部材３７の円弧縁部３７１の縁面が搬送ユニット本体４１の側壁４１５の縁部の縁面に当接し、これによって定着ユニット３０が突支部材３７に支持された状態になるため、定着ユニット３０が下方に落下して下部排紙方向切替部材４２の方向切替フィン４２１等の搬送ユニット本体４１の裏面側に設けられている各種の部材と衝突してこれらを破損させるような不都合が確実に防止される。
【００９７】
逆に、定着ユニット３０を機器本体１１内に押し込むときは、突支部材３７が棚部１０５の後縁部と干渉し、これによって水平軸３５２回りに時計方向へ回動するため、定着ユニット３０が収納位置にまで押し込まれた状態で、突支部材３７は、図１０の（イ）に示すように、棚部１０５の上面に載置された収納姿勢に姿勢設定される。
【００９８】
第２実施形態の衝突回避構造は、以上詳述したように、定着ユニット３０には、機器本体１１から引き出された状態で用紙搬送ユニット４０の対向面との干渉を阻止する突支部材３７が設けられているため、定着ユニット３０は、機器本体１１から引き出された状態で突支部材３７により用紙搬送ユニット４０の対向面と干渉することが阻止され、これによって定着ユニット３０が用紙搬送ユニット４０の対向面に設けられた各種の部材（例えば方向切替フィン４２１）と衝突してこれら部材を破損させるような不都合の発生を有効に防止することができる。
【００９９】
そして、突支部材３７は、定着ユニット３０の下側部のスライドロッド３５の先端部３５１に設けられた水平軸３５２回りに回動自在に軸支され、かつ、定着ユニット３０が機器本体１１に押し込まれることにより当該機器本体１１との干渉で水平軸３５２回りに一方向に回動して収納姿勢に姿勢設定される一方、定着ユニット３０が機器本体１１から引き出されることによる干渉の解消により水平軸３５２回りに他方向に回動して水平軸３５２から垂下した垂下姿勢に姿勢設定されるようにしているため、定着ユニット３０を機器本体１１に押し込むことにより突支部材３７が機器本体１１と干渉して水平軸３５２回りに一方向に回動し、これによって突支部材３７を収納姿勢に姿勢設定させることができる一方、定着ユニット３０を機器本体１１から引き出すことにより突支部材３７の干渉が解消され、これによって突支部材３７は、水平軸３５２回りの他方向へ回動し水平軸３５２から垂下した垂下姿勢に姿勢設定される。
【０１００】
このように、突支部材３７を定着ユニット３０に設けられた水平軸３５２回りに回動自在に軸支することにより、突支部材３７は、定着ユニット３０の機器本体１１への押し込み動作に支障がないものにすることができるとともに、定着ユニット３０が機器本体１１から引き出されることにより、定着ユニット３０から下方に垂下させることができ、定着ユニット３０の用紙搬送ユニット４０に対する衝突回避構造の簡素化に貢献することができる。
【図面の簡単な説明】
【０１０１】
【図１】本発明に係る開閉可能な用紙搬送ユニットを備えた画像形成装置の一実施形態を示す側面断面視の説明図であり、用紙搬送ユニットが閉止姿勢に姿勢設定された状態を示している。
【図２】本発明に係る開閉可能な用紙搬送ユニットを備えた画像形成装置の一実施形態を示す側面断面視の説明図であり、用紙搬送ユニットが開放姿勢に姿勢設定されるとともに、定着ユニットが引き出された状態をそれぞれ示している。
【図３】図１に示す画像形成装置１０の定着ユニット３０および用紙搬送ユニット４０の部分拡大断面図であり、用紙搬送ユニットが閉止姿勢に姿勢設定された状態を示している。
【図４】図１に示す画像形成装置の定着ユニットおよび用紙搬送ユニットの部分拡大断面図であり、用紙搬送ユニットが閉止姿勢から開放姿勢に姿勢変更される途中で定着ユニットが機器本体から引き出されつつある状態を示している。
【図５】図１に示す画像形成装置の定着ユニットおよび用紙搬送ユニットの部分拡大断面図であり、用紙搬送ユニットが開放姿勢に姿勢設定されるとともに、定着ユニットが機器本体から引き出された状態を示している。
【図６】定着ユニットの用紙搬送ユニット側を示す部分斜視図であり、用紙搬送ユニット４０が開放姿勢に姿勢設定され、且つ定着ユニットが機器本体から引き出される前の状態を示している。
【図７】定着ユニットの用紙搬送ユニット側を示す部分斜視図であり、定着ユニットが機器本体から引き出された状態を示している。
【図８】用紙搬送ユニットを示す斜視図であり、搬送ユニットが装着される直前の状態を示している。
【図９】用紙搬送ユニットを示す斜視図であり、搬送ユニットが装着された状態を示している。
【図１０】機器本体から引き出された定着ユニットの用紙搬送ユニットに対する衝突回避構造の第２実施形態を示す側面視の説明図であり、（イ）は、定着ユニットが収納位置に位置設定された状態、（ロ）は、定着ユニットが引出位置に位置設定された状態をそれぞれ示している。
【図１１】第２実施形態の衝突回避構造が採用された定着ユニットが機器本体から引き出された状態（すなわち引出位置に位置設定された常態）を示す斜視図である。
【符号の説明】
【０１０２】
１０  画像形成装置          １０１  後面開口
１０２  搬送路              １０３  搬送ローラ
１０４  支持軸              １０５  棚部
１１  機器本体
１２  画像形成ユニット（画像形成部）
１２Ｍ  マゼンダ用ユニット  １２Ｃ  シアン用ユニット
１２Ｙ  イエロー用ユニット  １２Ｋ  ブラック用ユニット
１３  現像装置
１４  感光体ドラム          １５  帯電部
１６  露光部                １７  クリーニング機構
１８  給紙機構              １９  排紙トレイ
２０  装置内搬送ユニット    ２１  基台
２２  搬送ベルト            ２３  駆動ローラ
２４  従動ローラ            ２５  転動ローラ
３０  定着ユニット（定着部）  ３０１  ガイドレール
３０２  固定フィン          ３１  ハウジング
３２  定着ローラ            ３３  加熱ローラ
３４  加圧ローラ            ３５  スライドロッド
３５１  先端部              ３５２  水平軸
３５３  被案内突起          ３６  把持部材
３７  突支部材
４０  用紙搬送ユニット（下流搬送路部）
４１  搬送ユニット本体      ４１１  被支持孔
４１２  上側搬送路          ４１３  下側搬送路
４１４  排紙口              ４１５  側壁
４２  下部排紙方向切替部材
４２１  方向切替フィン      ４２２  方向切替軸
４３  上部排紙方向切替部材  ４３１  方向切替フィン
４３２  十字軸              ４４  装着凹部
４５  保護突片（保護用突起）  ４６  搬送ローラ対
４７，４９  搬送ローラ      ４８  カバー体
５０  搬送ユニット        ５０１  固定フィン
５１  搬送ユニット本体      ５２  搬送ユニット搬送路
５３  搬送ローラ対
【図１】
2005089178.tif 000003
【図２】
2005089178.tif 000004
【図３】
2005089178.tif 000005
【図４】
2005089178.tif 000006
【図５】
2005089178.tif 000007
【図６】
2005089178.tif 000008
【図７】
2005089178.tif 000009
【図８】
2005089178.tif 000010
【図９】
2005089178.tif 000011
【図１０】
2005089178.tif 000012
【図１１】
2005089178.tif 000013